(57)【要約】【課題】撮影前に実際の撮影時に要する画像ファイルの容量を撮影者に告知可能なカメラを提供することである。【解決手段】表示用撮像素子６１で第１の画像データを出力し、撮影用撮像素子６７で上記第１の画像データよりも画素数の多い第２の画像データを出力するする。表示用撮像素子６１にて被写体を連続的に撮像した画像は、液晶モニタ２６にてライブビュー表示される。そして、レリーズ信号に応じて、撮影用撮像素子６７にて被写体を撮像して記録メディア８５に記録する。また、Ｂμｃｏｍ８０に於いて、上記第１の画像データのファイル容量と、上記第１及び第２の画像データの画素数比とに基づいて、上記第２の画像データのファイル容量を予測し、撮影動作に先立って、上記ファイル容量の予測結果を液晶モニタ２６に表示させる。【選択図】図３
2007074395.tif 000002
【特許請求の範囲】
【請求項１】
第１の画像データを出力する第１の撮像手段と、
上記第１の画像データよりも画素数の多い第２の画像データを出力する第２の撮像手段と、
上記第１の撮像手段にて被写体を連続的に撮像してライブビュー表示を行うライブビュー表示手段と、
レリーズ信号に応じて、上記第２の撮像手段にて被写体を撮像して記録媒体に記録する撮影手段と、
上記第１の画像データのファイル容量と、上記第１及び第２の画像データの画素数比とに基づいて、上記第２の画像データのファイル容量を予測する予測手段と、
上記撮影手段による撮影動作に先立って、上記予測手段に於ける予測結果を上記ライブビュー表示手段に表示させる表示制御手段と、
を具備することを特徴とするカメラ。
【請求項２】
上記予測手段は、上記第１の画像データのファイル容量に上記画素数比を乗じることによって、上記第２の画像データのファイル容量を予測することを特徴とする請求項１に記載のカメラ。
【請求項３】
上記予測手段は、
上記第２の画像データの圧縮率と同じ圧縮率で上記第１の画像データを圧縮する圧縮手段と、
圧縮済みの上記第１の画像データのファィル容量を判定する判定手段と、
上記判定手段の判定結果と上記画素数比とに基づいて、上記第２の画像データの圧縮後のファイル容量を予測演算する演算手段と、
を具備することを特徴とする請求項２に記載のカメラ。
【請求項４】
上記表示制御手段は、上記ライブビュー表示画像に重ねて上記予測手段に於ける予測結果を表示することを特徴とする請求項１に記載のカメラ。
【請求項５】
上記表示制御手段は、上記予測手段に於ける予測結果をカメラのファインダ内に表示することを特徴とする請求項１に記載のカメラ。
【請求項６】
ライブビュー表示機能を有するカメラに於いて、
撮影レンズを通過した被写像を撮像して第１の画像データを得る第１の撮像手段と、
上記撮影レンズを通過した被写体像を撮像して、上記第１の画像データよりも画素数の多い第２の画像データを得る第２の撮像手段と、
上記第１の撮像手段若しくは第２の撮像手段により得られた第１若しくは第２の画像データに基づいて被写体像を表示する表示手段と、
上記第１の画像データのファイル容量と、上記第１及び第２の画像データの画素数比とに基づいて、上記第２の画像データのファイル容量を予測する予測手段と、
上記第２の撮像手段による撮像動作に先立って、上記予測手段に於ける予測結果を上記表示手段に表示させる制御手段と、
を具備することを特徴とするカメラ。
【請求項７】
上記予測手段は、上記第１の画像データのファイル容量に上記画素数比を乗じることによって、上記第２の画像データのファイル容量を予測することを特徴とする請求項６に記載のカメラ。
【請求項８】
上記予測手段は、
上記第２の画像データの圧縮率と同じ圧縮率で上記第１の画像データを圧縮する圧縮手段と、
圧縮済みの上記第１の画像データのファィル容量を判定する判定手段と、
上記判定手段の判定結果と上記画素数比とに基づいて、上記第２の画像データの圧縮後のファイル容量を予測演算する演算手段と、
を具備することを特徴とする請求項７に記載のカメラ。
【請求項９】
上記制御手段は、上記ライブビュー表示画像上に、上記予測手段に於ける予測結果を重ねて表示することを特徴とする請求項６に記載のカメラ。
【請求項１０】
上記制御手段は、上記予測手段に於ける予測結果をカメラのファインダ内に表示することを特徴とする請求項６に記載のカメラ。
【請求項１１】
上記第２の撮像手段にて被写体を撮像して記録する記録媒体を更に具備することを特徴とする請求項６に記載のカメラ。
【請求項１２】
撮影レンズを通過した被写体からの光束を透過及び反射させるメインミラーと、
上記メインミラーが撮影光路内にある状態に於いて、該メインミラーにより反射された上記被写体からの光束に基づいて第１の画像データを生成する第１の撮像手段と、
上記メインミラーが撮影光路から退避した状態に於いて、上記被写体からの光束に基づいて、上記第１の画像データよりも画素数の多い第２の画像データを生成する第２の撮像手段と、
上記第１の撮像手段若しくは第２の撮像手段で生成された第１若しくは第２の画像データに基づいて被写体像を表示する表示手段と、
上記第１の画像データのファイル容量と、上記第１及び第２の画像データの画素数比とに基づいて、上記第２の画像データのファイル容量を予測する予測手段と、
上記第２の撮像手段による撮像動作に先立って、上記予測手段に於ける予測結果を上記表示手段に表示させる制御手段と、
を具備することを特徴とするカメラ。
【請求項１３】
上記制御手段は、上記第２の撮像手段による撮像動作に先立って、上記第１の画像データに基づいた被写体像を連続して上記表示手段に表示させると共に、上記予測手段に於ける予測結果を上記表示手段に表示させることを特徴とする請求項１２に記載のカメラ。
【請求項１４】
上記予測手段は、上記第１の画像データのファイル容量に上記画素数比を乗じることによって、上記第２の画像データのファイル容量を予測することを特徴とする請求項１３に記載のカメラ。
【請求項１５】
上記予測手段は、
上記第２の画像データの圧縮率と同じ圧縮率で上記第１の画像データを圧縮する圧縮手段と、
圧縮済みの上記第１の画像データのファィル容量を判定する判定手段と、
上記判定手段の判定結果と上記画素数比とに基づいて、上記第２の画像データの圧縮後のファイル容量を予測演算する演算手段と、
を具備することを特徴とする請求項１４に記載のカメラ。
【請求項１６】
上記制御手段は、上記ライブビュー表示画像上に、上記予測手段に於ける予測結果を重ねて表示することを特徴とする請求項１３に記載のカメラ。
【請求項１７】
上記制御手段は、上記予測手段に於ける予測結果をカメラのファインダ内に表示することを特徴とする請求項１３に記載のカメラ。
【請求項１８】
上記第２の撮像手段にて被写体を撮像して記録する記録媒体を更に具備することを特徴とする請求項１２に記載のカメラ。
【発明の詳細な説明】
【技術分野】
【０００１】
本発明は、ＣＣＤ等の撮像素子で被写体を連続的に撮像して表示装置に表示する、いわゆるライブビュー表示機能を有するカメラに関するものである。
【背景技術】
【０００２】
一般に、デジタルカメラには、その記録メディアの容量に応じて多数の画像が保存可能である。また、実際に撮影した画像を記録メディアに保存する場合は、例えばＪＰＥＧ等の圧縮を行っている。
【０００３】
ところが、記録メディアの残容量が少ない場合、画像の撮影を行うことができても、実際には保存することができないことがある。
【０００４】
このため、撮影後に記録メディアと画像サイズから、撮影の可、不可を予測し、カメラが自動判断して撮影可能枚数を表示する技術が知られている（例えば、特許文献１参照）。
【０００５】
また、限られたメディア容量の中に収まるように画像の圧縮率を変更することは周知である（例えば、特許文献２参照）。
【特許文献１】特開２００３−１３４４４２号公報
【特許文献２】特開平９−３２６９９４号公報
【発明の開示】
【発明が解決しようとする課題】
【０００６】
しかしながら、画質を設定するモードでは、撮影時の実際の圧縮（例えば、ＪＰＥＧ圧縮）された後のファイル容量は不明である。例えば、撮影後に直接、電子メールに添付して友人に画像を送りたい場合等に、どの画質で撮影すれば良いかがわからず不便である。
【０００７】
また、ファイル容量は、画質、圧縮率以外に画像によっても異なる。したがって、上述した特許文献１や特許文献２に記載の技術では、精度の高い表示は困難である。
【０００８】
したがって、本発明は上記課題に鑑みてなされたものであり、その目的は、撮影前に実際の撮影時に要する画像ファイルの容量を撮影者に告知可能なカメラを提供することである。
【課題を解決するための手段】
【０００９】
すなわち請求項１に記載の発明は、第１の画像データを出力する第１の撮像手段と、上記第１の画像データよりも画素数の多い第２の画像データを出力する第２の撮像手段と、上記第１の撮像手段にて被写体を連続的に撮像してライブビュー表示を行うライブビュー表示手段と、レリーズ信号に応じて、上記第２の撮像手段にて被写体を撮像して記録媒体に記録する撮影手段と、上記第１の画像データのファイル容量と、上記第１及び第２の画像データの画素数比とに基づいて、上記第２の画像データのファイル容量を予測する予測手段と、上記撮影手段による撮影動作に先立って、上記予測手段に於ける予測結果を上記ライブビュー表示手段に表示させる表示制御手段と、を具備することを特徴とする。
【００１０】
請求項２に記載の発明は、請求項１に記載の発明に於いて、上記予測手段は、上記第１の画像データのファイル容量に上記画素数比を乗じることによって、上記第２の画像データのファイル容量を予測することを特徴とする。
【００１１】
請求項３に記載の発明は、請求項２に記載の発明に於いて、上記予測手段は、上記第２の画像データの圧縮率と同じ圧縮率で上記第１の画像データを圧縮する圧縮手段と、圧縮済みの上記第１の画像データのファィル容量を判定する判定手段と、上記判定手段の判定結果と上記画素数比とに基づいて、上記第２の画像データの圧縮後のファイル容量を予測演算する演算手段と、を具備することを特徴とする。
【００１２】
請求項４に記載の発明は、請求項１に記載の発明に於いて、上記表示制御手段は、上記ライブビュー表示画像に重ねて上記予測手段に於ける予測結果を表示することを特徴とする。
【００１３】
請求項５に記載の発明は、請求項１に記載の発明に於いて、上記表示制御手段は、上記予測手段に於ける予測結果をカメラのファインダ内に表示することを特徴とする。
【００１４】
請求項６に記載の発明は、ライブビュー表示機能を有するカメラに於いて、撮影レンズを通過した被写像を撮像して第１の画像データを得る第１の撮像手段と、上記撮影レンズを通過した被写体像を撮像して、上記第１の画像データよりも画素数の多い第２の画像データを得る第２の撮像手段と、上記第１の撮像手段若しくは第２の撮像手段により得られた第１若しくは第２の画像データに基づいて被写体像を表示する表示手段と、上記第１の画像データのファイル容量と、上記第１及び第２の画像データの画素数比とに基づいて、上記第２の画像データのファイル容量を予測する予測手段と、上記第２の撮像手段による撮像動作に先立って、上記予測手段に於ける予測結果を上記表示手段に表示させる制御手段と、を具備することを特徴とする。
【００１５】
請求項７に記載の発明は、請求項６に記載の発明に於いて、上記予測手段は、上記第１の画像データのファイル容量に上記画素数比を乗じることによって、上記第２の画像データのファイル容量を予測することを特徴とする。
【００１６】
請求項８に記載の発明は、請求項７に記載の発明に於いて、上記予測手段は、上記第２の画像データの圧縮率と同じ圧縮率で上記第１の画像データを圧縮する圧縮手段と、圧縮済みの上記第１の画像データのファィル容量を判定する判定手段と、上記判定手段の判定結果と上記画素数比とに基づいて、上記第２の画像データの圧縮後のファイル容量を予測演算する演算手段と、を具備することを特徴とする。
【００１７】
請求項９に記載の発明は、請求項６に記載の発明に於いて、上記制御手段は、上記ライブビュー表示画像上に、上記予測手段に於ける予測結果を重ねて表示することを特徴とする。
【００１８】
請求項１０に記載の発明は、請求項６に記載の発明に於いて、上記制御手段は、上記予測手段に於ける予測結果をカメラのファインダ内に表示することを特徴とする。
【００１９】
請求項１１に記載の発明は、請求項６に記載の発明に於いて、上記第２の撮像手段にて被写体を撮像して記録する記録媒体を更に具備することを特徴とする。
【００２０】
請求項１２に記載の発明は、撮影レンズを通過した被写体からの光束を透過及び反射させるメインミラーと、上記メインミラーが撮影光路内にある状態に於いて、該メインミラーにより反射された上記被写体からの光束に基づいて第１の画像データを生成する第１の撮像手段と、上記メインミラーが撮影光路から退避した状態に於いて、上記被写体からの光束に基づいて、上記第１の画像データよりも画素数の多い第２の画像データを生成する第２の撮像手段と、上記第１の撮像手段若しくは第２の撮像手段で生成された第１若しくは第２の画像データに基づいて被写体像を表示する表示手段と、上記第１の画像データのファイル容量と、上記第１及び第２の画像データの画素数比とに基づいて、上記第２の画像データのファイル容量を予測する予測手段と、上記第２の撮像手段による撮像動作に先立って、上記予測手段に於ける予測結果を上記表示手段に表示させる制御手段と、を具備することを特徴とする。
【００２１】
請求項１３に記載の発明は、請求項１２に記載の発明に於いて、上記制御手段は、上記第２の撮像手段による撮像動作に先立って、上記第１の画像データに基づいた被写体像を連続して上記表示手段に表示させると共に、上記予測手段に於ける予測結果を上記表示手段に表示させることを特徴とする。
【００２２】
請求項１４に記載の発明は、請求項１３に記載の発明に於いて、上記予測手段は、上記第１の画像データのファイル容量に上記画素数比を乗じることによって、上記第２の画像データのファイル容量を予測することを特徴とする。
【００２３】
請求項１５に記載の発明は、請求項１４に記載の発明に於いて、上記予測手段は、上記第２の画像データの圧縮率と同じ圧縮率で上記第１の画像データを圧縮する圧縮手段と、圧縮済みの上記第１の画像データのファィル容量を判定する判定手段と、上記判定手段の判定結果と上記画素数比とに基づいて、上記第２の画像データの圧縮後のファイル容量を予測演算する演算手段と、を具備することを特徴とする。
【００２４】
請求項１６に記載の発明は、請求項１３に記載の発明に於いて、上記制御手段は、上記ライブビュー表示画像上に、上記予測手段に於ける予測結果を重ねて表示することを特徴とする。
【００２５】
請求項１７に記載の発明は、請求項１３に記載の発明に於いて、上記制御手段は、上記予測手段に於ける予測結果をカメラのファインダ内に表示することを特徴とする。
【００２６】
請求項１８に記載の発明は、請求項１２に記載の発明に於いて、上記第２の撮像手段にて被写体を撮像して記録する記録媒体を更に具備することを特徴とする。
【発明の効果】
【００２７】
本発明によれば、撮影前に実際の撮影時に要する画像ファイルの容量を撮影者に告知可能なカメラを提供することができる。
【発明を実施するための最良の形態】
【００２８】
以下、図面を参照して、本発明の実施形態を説明する。
【００２９】
（第１の実施形態）
図１は、本発明の第１の実施形態を示すもので、一眼レフレックスタイプのデジタルカメラの構成を示す外観斜視図である。
【００３０】
図１に於いて、この一眼レフレックスタイプのデジタルカメラ（以下、カメラと略記する）１は、交換レンズとしてのレンズ鏡筒１０と、カメラ本体２０から主に構成されており、該カメラ本体２０の前面に対して、所望のレンズ鏡筒１０が着脱自在に設定されている。
【００３１】
カメラ本体２０の上面には、レリーズ釦２１と、モードダイヤル２２と、パワースイッチレバー２３と、コントロールダイヤル２４等が設けられている。
【００３２】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００３３】
モードダイヤル２２は、撮影時の撮影モードを設定するための操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００３４】
コントロールダイヤル２４は、撮影情報の設定を行うための部材である。このコントロールダイヤル２４が操作されることにより、撮影時に種々の設定が行われる。
【００３５】
ボディユニット２０の背面部には、撮影画像やメニュー等を表示するための表示手段（ライブビュー表示手段）を構成する液晶モニタ２６と、再生釦２７と、メニュー釦２８と、十字キー３０と、ＯＫ釦３１と、接眼光学系のファインダ３３等が配置されている。
【００３６】
上記再生釦２７は、カメラ１の動作モードを、後述するＳＤＲＡＭ６２や記録用のメディア６３に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。例えば、後述するＡＦセンサユニット７１の出力に応じて撮影レンズを駆動するオートフォーカス（ＡＦ）モードと、撮影者の手動操作に応じて撮影レンズを駆動するマニュアルフォーカス（ＭＦ）モードの切り替えについても、このメニュー項目に含まれている。
【００３７】
図２は、本発明の第１の実施形態に於けるカメラのファインダ光学系の構成を示す斜視図である。
【００３８】
ファインダ光学系５０は、レンズ鏡筒内の撮影レンズ１１を通過した被写体からの光束を、上記ファインダ３３を構成する接眼レンズ５７へと導くための複数のミラー、すなわちメインミラーである第１反射ミラー５１、第２反射ミラー５２、第３反射ミラー５３、第４反射ミラー５４と、フォーカシングスクリーン（スクリーンマット）５６と、接眼レンズ５７とを有して構成される。
【００３９】
上記第１反射ミラー５１は軸５１ａを中心に図示矢印Ａ方向に回動可能に構成されるもので、その一部が後述するＡＦセンサユニット７１のためにハーフミラーで構成されている。第１反射ミラー５１は、被写体の観察時は図示の如く、撮影レンズ１１から入射された光束を、撮影レンズ１１の光軸に対し略９０°の角度である第２反射ミラー５２の方向、すなわちカメラ本体２０のレンズ鏡筒１０側より見て右方向に反射する。そして、撮像時は、撮影光路より退避されて、被写体からの光束が、第１反射ミラー５１の後方に配置される撮像素子（図示せず）に導かれるように動作する。
【００４０】
上記第１反射ミラー５１の反射面で反射された光束は、フォーカシングスクリーン５６を介して第２反射ミラー５２に入射する。この第２反射ミラー５２は、上記第１反射ミラー５１からの反射光軸上であって、その反射面が上記第１反射ミラー５１の反射光軸に対し、所定の角度だけ傾いて配置されている。第２反射ミラー５２に入射された上記第１反射ミラー５１からの反射光束は、該第１反射ミラー５１からの反射光軸に対し略９０°の角度、すなわちカメラ本体２０の上方に向けて反射される。
【００４１】
上記第２反射ミラー５２の反射面で反射された光束は、該第２反射ミラー５２の反射面の反射光軸上であって、その反射面が第２の反射面の反射光軸に対し所定の角度だけ傾いて配置される第３反射ミラー５３に入射される。第３反射ミラー５３に入射された第２反射ミラー５２からの反射光束は、第３反射ミラー５３の反射面にて、上記第２反射ミラー５２の反射面からの反射光軸に対し略９０°の角度であって、上記第１反射ミラー５１の反射面による反射方向と相反する方向に反射される。つまり、第２反射ミラー５２の反射面からの反射光束は、第３反射ミラー５３の反射面にて、カメラ本体２０の左方向に向けて反射される。換言すれば、第１反射ミラー５１の反射面にて反射された光束は、第２、第３反射ミラー５２、５３によって折り返すように導かれ、第３反射ミラー５３の反射面の反射光軸は、上記第１反射ミラー５１の反射面の反射光軸と略平行となって第４反射ミラー５４に向かう。
【００４２】
上記第３反射ミラー５３の反射面で反射された光束は、該第３反射ミラー５３の反射面の反射光軸上であって、その反射面が上記第３反射ミラー５３の反射面の反射光軸に対し所定の角度だけ傾いて配置される第４反射ミラー５４に入射される。そして、第４反射ミラー５４に入射された上記第３反射ミラー５３からの反射光束は、第４反射ミラー５４の反射面にて、上記第３反射ミラー５３からの反射光軸に対し略９０°の角度に反射される。つまり、第３反射ミラー５３の反射面からの反射光束は、第４反射ミラーの反射面の反射光軸上に配置された接眼レンズ５７に入射される。
【００４３】
上記フォーカシングスクリーン５６は、上述したファインダ光学系５０に入射された光束を光学像として結像させるために、該光束を拡散させる拡散面を有するもので、後述する撮影用撮像素子６７の撮像面上と光学的に等価な位置に配置されている。更に、フォーカシングスクリーン５６に隣接して、撮影情報等を表示するためのファインダ（Ｆ）内ＬＣＤパネル６４が配設されている。
【００４４】
また、上記第２反射ミラー５２と第４反射ミラー５４は、ハーフミラーで構成されている。第２反射ミラー５２の反射面の裏面側には、被写体の明るさを測定する測光センサ６３が配置されている。一方、第４反射ミラー５４の反射面の裏面側には、結像レンズ６０及びＣＣＤ等で構成される第１の撮像手段としての表示用撮像素子６１が配設されている。この表示用撮像素子６１は、フォーカシングスクリーン５６上の像を、結像レンズ６０を介して結像するためのものである。したがって、表示用撮像素子６１に結像された像は反転しているものの、撮影者の目５８が見ている像と同じものとなる。
【００４５】
このように、撮影レンズ１１からの被写体光束は、上述した第１乃至第４反射ミラー５１〜５４によって、その像が正立正像となるように反転されて接眼レンズ５７に導かれる。これにより、接眼レンズ５７（ファインダ３３）を通して、撮影者の眼５８でフォーカシングスクリーン５６上に結像した被写体像が観察可能となる。
【００４６】
尚、本実施形態では、第１反射ミラー５１、第２反射ミラー５２、第３反射ミラー５３及び第４反射ミラー５４は、入射光束に対して略９０°の角度で反射するように配置しているが、これに限られるものではない。
【００４７】
図３は、本発明の第１の実施形態に係るカメラのシステム構成を示すブロック図である。
【００４８】
図３に於いて、上記レンズ鏡筒１０は、上記カメラ本体２０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００４９】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズ鏡筒１０内の各部を駆動制御する。このＬμｃｏｍ１５は、通信コネクタ４０を介して、後述するボディ制御用マイクロコンピュータ８０と電気的に接続がなされ、該ボディ制御用マイクロコンピュータ８０の指令に従って制御される。
【００５０】
一方、カメラ本体２０は、以下のように構成されている。
【００５１】
レンズ鏡筒１０内の撮影レンズ１１、絞り１２を介して入射される図示されない被写体からの光束は、可動ミラーである第１反射ミラー５１で反射され、フォーカシングスクリーン５６、更に上記第１反射ミラー５１と共にファインダ光学系５０を構成する第２乃至第４反射ミラー５２〜５４（図２参照）等を介して、接眼レンズ５７に至る。また、第１反射ミラー５１のハーフミラーの部分を透過した被写体光束の一部は、第１反射ミラー５１とは独立して作動するサブミラー７０で反射されて、自動測距を行うためのＡＦセンサユニット７１に導かれる。尚、図３に於いては、第１反射ミラー５１は別に示されているが、第２乃至第４の反射ミラー等と共にファインダ光学系５０を構成しているものである。
【００５２】
光軸上で上記第１反射ミラー５１の後方には、フォーカルプレーン式のシャッタ６６と、光学系を通過した被写体像を光電変換するための撮像光学系の光電変換素子であり、ＣＣＤ等で構成される第２の撮像手段としての撮影用撮像素子６７が設けられている。つまり、第１反射ミラー５１が撮影光路より退避した場合、撮影レンズ１１及び絞り１２を通った光束は、撮影用撮像素子６７の撮像面上に結像される。
【００５３】
上記フォーカシングスクリーン５６の近傍には、ファインダ（Ｆ）内ＬＣＤパネル６４が配置されている。Ｆ内ＬＣＤパネル６４はＬＣＤドライバ６７によって駆動されるもので、後述するボディ制御用マイクロコンピュータ８０の指令に従って制御される。
【００５４】
また、上述したように、ファインダ光学系５０に於いては、第２反射ミラー５２の近傍に測光センサ６３が、そして第４反射ミラー５４の近傍に表示用撮像素子６１が配設されている。上記測光センサ６３は、後述する測光回路８７を介してボディ制御用マイクロコンピュータ８０に接続されるもので、その指令に従って制御される。
【００５５】
上記表示用撮像素子６１と上記撮影用撮像素子６７は、インターフェイス回路８１を介して、圧縮手段を含み画像処理を行うための画像処理コントローラ８２に接続されている。そして、この画像処理コントローラ８２には、上述した液晶モニタ２６と、記憶領域として設けられたＳＤＲＡＭ８３、Ｆｌａｓｈ  Ｍｅｍｏｒｙ８４及び記録メディア８５等が接続されている。これらは、電子撮像機能と共に電子記録表示機能を提供できるように構成されている。
【００５６】
上記記録メディア８５は、図示されないカメラのインターフェイスを介してカメラ本体２０に対し脱着可能な各種のメモリカードや外付けのハードディスクドライブ（ＨＤＤ）等の外部記録媒体である。
【００５７】
上記画像処理コントローラ８２は、上述した測光センサ６３を含む測光回路８７と、ＡＦセンサ駆動回路７２と、ミラー駆動機構７３と、シャッタチャージ機構７５と、シャッタ制御回路７６と、不揮発性メモリ（ＥＥＰＲＯＭ）８８と共に、このカメラ本体２０内の各部を制御するための制御手段（表示制御手段）であるボディ制御用マイクロコンピュータ（以下、Ｂμｃｏｍと略記する）８０に接続されている。このＢμｃｏｍ８０は、また、予測手段である判定手段、演算手段としての機能を有している。
【００５８】
上記Ｂμｃｏｍ８０には、更に、当該カメラの動作状態を表示出力によって撮影者へ告知するための動作表示用ＬＣＤ９０と、カメラ操作スイッチ（ＳＷ）９１と、電源回路９２を介して電池９３と、通信コネクタ４０が接続されている。
【００５９】
尚、上記Ｂμｃｏｍ８０とＬμｃｏｍ１５とは、レンズ鏡筒１０の装着時に於いて、通信コネクタ４０を介して通信可能に電気的接続がなされる。そして、デジタルカメラとして、Ｌμｃｏｍ１５がＢμｃｏｍ８０に従属的に協働しながら稼動するようになっている。
【００６０】
上記ＡＦセンサ駆動回路７２は上記ＡＦセンサユニット７１を駆動制御するための回路であり、ミラー駆動機構７３は第１反射ミラー５１を駆動制御する機構である。また、シャッタチャージ機構７５は、上記シャッタ６６を構成する図示されない先幕と後幕を駆動するばねをチャージするものである。シャッタ制御回路７６は、上記シャッタ６６の先幕と後幕の動きを制御すると共に、Ｂμｃｏｍ８０との間でシャッタの開閉動作を制御する信号と図示されないストロボと同調する信号の授受を行う。また、上記測光回路８７は、測光センサ６３の電気信号に基づいて測光処理する回路である。
【００６１】
不揮発性メモリ８８は、上述したＳＤＲＡＭ８３、Ｆｌａｓｈ  Ｍｅｍｏｒｙ８４、記録メディア８５以外の記憶領域として、カメラ制御に必要な所定の制御パラメータを記憶する記憶手段であり、Ｂμｃｏｍ８０からアクセス可能に設けられている。
【００６２】
動作表示用ＬＣＤ９０は、当該カメラの動作状態を表示出力によってユーザへ告知するためのものである。上記カメラ操作スイッチ９１は切り換え手段として、例えば撮影動作の実行を指示すると共に後述するように第１反射ミラー５１を撮影光路の内外に切り換えるレリーズスイッチ、撮影モードと画像表示モードを切り換えるモード変更スイッチ及びパワースイッチ、等、当該カメラを操作するために必要な操作釦を含むスイッチ群で構成される。更に、電源回路９２は、電源としての電池９３の電圧を、当該カメラシステムの各回路ユニットが必要とする電圧に変換して供給するために設けられている。
【００６３】
図４は、ファインダ内の表示例を示したもので、（ａ）はフォーカシングスクリーン５６に対応した表示画面１０４の例を示した図、（ｂ）はＦ内ＬＣＤパネル６４の表示例を示した図である。
【００６４】
図４（ａ）に示されるように、上記表示画面１０４は、表示用撮像素子６１で撮影された画像の表示部１０５とＦ内ＬＣＤパネル６４に表示された撮影情報の表示部１０７との合成である。上記表示部１０５の略中央部には、ＡＦ測距を行う際に使用されるＡＦフレーム１０６が設けられている。一方、表示部１０７は、図４（ｂ）に示されるように、種々の撮影情報を表示するための複数のマークより成っている。
【００６５】
図４（ｂ）に於いて、１１０は絞り値を表すマーク、１１１はシャッタ速度／画質モードを表すマーク、１１２は合焦マーク、１１３はフラッシュを表すマーク、１１４はホワイトバランスを表すマーク、１１５はＡＥロックを表すマーク、１１６は露出補正値を表すマーク、１１７は測光モードを表すマーク、１１８は電池残量を表すマーク、１１９は露出モードを表すマーク、そして１２０は容量表示のマークである。
【００６６】
ライブビューモード時は、これらの表示部１０５及び１０７に対応した表示が、液晶モニタ２６の画面内に、画像と撮影情報として表示される。
【００６７】
図５は、液晶モニタ２６に撮影情報のみが表示された際の表示例を示した図である。
【００６８】
図５に於いて、画面１００内には、以下のような各種マークが表示される。すなわち、１２１は電池残量を表すマーク、１２２は露出モードを表すマーク、１２３はシャッタ速度を表すマーク、１２４は絞り値を表すマーク、１２５は露出補正値を表すマーク、１２６はノイズリダクション（ノイズ除去）を表すマーク、１２７はＡＥロックを表すマーク、１２８は測光モードを表すマーク、１２９は露出補正インジケータ及び露出レベルインジケータを表すマークである。また、１３１はフラッシュモード等を表すマーク、１３２はＡＦフレームを表すマーク、１３３はドライブモード等を表すマーク、１３４は画質モードや画素数、図４の容量表示マークと対応した容量等を表すマーク、１３５はＩＳＯ感度を表すマーク、１３６はホワイトバランスを表すマーク、１３７はカラー設定等を表すマーク、そして１３８は残り撮影枚数を表すマークである。
【００６９】
次に、図６及び図７のフローチャートを参照して、本発明の一実施形態であるカメラのライブビューモードの動作を説明する。尚、このカメラの動作は、主にＢμｃｏｍ８０の制御によって行われる。
【００７０】
図６及び図７は、第１の実施形態に於けるカメラ１の基本的な動作を説明するフローチャートである。
【００７１】
電池９３がカメラ本体２０内に装填されると本ルーチンが開始される。そして、先ず、ステップＳ１にてカメラの初期設定が行われる。次いで、ステップＳ２に於いて、パワースイッチレバー２３の操作状態が検出される。ここで、パワースイッチレバー２３が操作されて電源がオンされると、続くステップＳ３にて操作釦が検出される。そして、この操作釦の検出により、ステップＳ４にて釦・モードの変更処理がなされる。この変更処理には、後述するファインダビューモード、ライブビューモードが含まれる。更に、ステップＳ５にて測光、測距の処理動作が行われる。
【００７２】
ステップＳ６では、現在のモードがファインダビューモード、ライブビューモードの何れであるかが判定される。ここで、ファインダビューモードである場合はステップＳ７へ移行し、ライブビューモードである場合は後述するステップＳ１８へ移行する。
【００７３】
下記表１は、本実施形態に於けるカメラの表示用撮像素子６１の各モードと動作状態との関係を示した表である。
【表１】
2007074395.tif 000003
【００７４】
上記表１に於いて、表示用撮像素子６１は、カメラのモードがファインダビューであるかライブビューであるかに応じてオン、オフ動作される。カメラがファィンダビューモードである場合は、容量表示モードがオンの場合に表示用撮像素子６１が動作され、容量表示モードがオフの場合には表示用撮像素子６１は動作されない。一方、カメラがライブビューモードである場合は、容量表示モードのオン、オフには無関係に表示用撮像素子６１は動作されるようになっている。
【００７５】
ステップＳ７では、レリーズ釦２１の半押し操作である第１レリーズ（１Ｒ）スイッチがオンされたか否かが判定される。ここで、第１レリーズスイッチがオンされていなければ上記ステップＳ２へ移行して以降の処理が繰り返される。一方、第１レリーズスイッチがオンされていれば、ステップＳ８に移行して測光処理が行われる。次いで、ステップＳ９にて、測距処理が行われる。そして、続くステップＳ１０では、測距・デフォーカス量演算が行われる。
【００７６】
次いで、ステップＳ１１に於いて、撮影レンズ１１が合焦したか否かが判定される。ここで、合焦していればステップＳ１３へ移行するが、合焦していない場合は、ステップＳ１２へ移行して撮影レンズ１１が駆動された後、上記ステップＳ７へ移行して以降の処理が繰り返される。
【００７７】
ステップＳ１３ではファインダ３３内に合焦表示がなされる。そして、続くステップＳ１４に於いて、容量表示モードであるか否かが判定される。ここで、容量表示モードが選択された場合はステップＳ１５に移行して、サブルーチン「ファイル容量表示」が実行される。一方、上記ステップＳ１４にて容量表示モードが選択されない場合は、ステップＳ１５をスキップする。
【００７８】
ここで、図８のフローチャートを参照して、サブルーチン「ファイル容量表示」の動作について説明する。
【００７９】
図８は、図６及び図７のフローチャートのステップＳ１５、Ｓ１９及びＳ３０に於けるサブルーチン「ファイル容量表示」の動作を説明するフローチャートである。
【００８０】
本サブルーチンに入ると、ステップＳ４１にて表示用撮像素子６１が動作されてライブビュー画像が撮像される。そして、ステップＳ４２にて撮像が完了すると、続くステップＳ４３にて表示用撮像素子６１からの撮像データの読み出しが行われる。そして、ステップＳ４４に於いて、上記ステップＳ４３で読み出された撮像データに対して、ホワイトバランス、シャープネス等の所定の画像処理が行われる。次いで、ステップＳ４５にて、本画像で設定されている圧縮比で画像圧縮、例えばＪＰＥＧ等による画像の圧縮がなされる。
【００８１】
次に、ステップＳ４６ではファィル容量が演算される。そして、ステップＳ４７に於いて、本画像のファィル容量が算出される。この本画像のファイル容量は、上記ステップＳ４６で算出された圧縮済みのライブビュー画像のファイル容量に画素数比を掛け合わせて求められる。次いで、ステップＳ４８にて、上記ステップＳ４７で求められた本画像のファイル容量が表示される。この表示は、カメラのモードがファィンダビューモードの場合、図４（ｂ）の表示域１２０に表示される。一方、ライブビューモードの場合は、例えば図９のように表示される。
【００８２】
図９は、図８のサブルーチン「ファイル容量表示」のステップＳ４８に対応して、液晶モニタ２６にファイル容量表示を行った例を示した図である。この場合、液晶モニタ２６の画面１００内にライブビュー表示画像１４１と、上述したＡＦフレーム１０６に対応したＡＦフレーム表示１４２と共に、予測ファイル容量（この場合３．０４ＭＢ）１４３が表示される。
【００８３】
その後、本サブルーチンを抜けて、図６、図７のフローチャートに於けるステップＳ１６、またはＳ２０、Ｓ３１に移行する。
【００８４】
図６のフローチャートに戻って、ステップＳ１６では再び第１レリーズスイッチの状態が判定される。ここで、第１レリーズスイッチがオフならば上記ステップＳ２へ移行して以降の処理が繰り返される。一方、第１レリーズスイッチがオンならば、続くステップＳ１７に於いて、レリーズ釦２１の全押し操作である第２レリーズ（２Ｒ）スイッチの状態が判定される。その結果、第２レリーズスイッチがオンされていなければ上記ステップＳ１６へ移行し、オンされていれば後述するステップＳ３５へ移行する。
【００８５】
また、上述したステップＳ６に於いて、現在のモードがライブビューモードである場合は、次にステップＳ１８に於いて、容量表示モードであるか否かが判定される。ここで、容量表示モードであった場合は、ステップＳ１９に移行して、サブルーチン「ファイル容量表示」が実行される。このサブルーチン「ファイル容量表示」の詳細は、上述したステップＳ１５と同じ処理動作であるので、ここでは説明を省略する。その後、ステップＳ２０にて、ＴＦＴ、すなわち液晶モニタ２６にライブビューの撮像画像が表示されると、ステップＳ２２に移行する。
【００８６】
一方、上記ステップＳ１８にて容量表示モードではないと判定された場合は、ステップＳ２１に移行して、サブルーチン「ライブビュー表示」が実行される。
【００８７】
図１０は、図７のフローチャートに於けるステップＳ２１及びＳ３２に於けるサブルーチン「ライブビュー表示」の動作を説明するフローチャートである。
【００８８】
本サブルーチンに入ると、先ずステップＳ５１にて、表示用撮像素子６１によるライブビュー撮像が行われる。次いで、ステップＳ５２にて撮像が完了するまで待機する。このステップＳ５２にて撮像が完了すると、続くステップＳ５３にて表示用撮像素子６１からの撮像データの読み出しが行われる。
【００８９】
そして、ステップＳ５４に於いて、上記ステップＳ５３で読み出された撮像データに対して、ホワイトバランス、シャープネス等の所定の画像処理が行われる。次いで、ステップＳ５５にて、液晶モニタ２６に、上記ステップＳ５４で画像処理が施されたライブビュー画像が表示される。その後、本サブルーチンを抜けて、図７のフローチャートに於けるステップＳ２２、またはＳ３３に移行する。
【００９０】
図７のフローチャートに戻って、ステップＳ２２では、上述した第１レリーズスイッチの状態が判定される。ここで、第１レリーズスイッチがオンされていなければ上記ステップＳ２へ移行して以降の処理が繰り返される。一方、第１レリーズスイッチがオンされていれば、ステップＳ２３に移行して測光処理が行われる。次いで、ステップＳ２４にて測距処理が行われ、ステップＳ２５では、測距・デフォーカス量演算が行われる。
【００９１】
次いで、ステップＳ２６に於いて、撮影レンズ１１が合焦したか否かが判定される。ここで、合焦していればステップＳ２８へ移行するが、合焦していない場合は、ステップＳ２７へ移行して撮影レンズ１１が駆動された後、上記ステップＳ１８へ移行して以降の処理が繰り返される。
【００９２】
ステップＳ２８ではファインダ３３内に合焦表示がなされる。そして、続くステップＳ２９に於いて、容量表示モードであるか否かが判定される。ここで、容量表示モードが選択された場合はステップＳ３０に移行して、サブルーチン「ファイル容量表示」が実行される。更に、ステップＳ３１にて、ライブビューの撮像画像が、液晶モニタ２６に表示される。尚、上記ステップＳ３０のサブルーチン「ファイル容量表示」の詳細は、上述したステップＳ１５と同じ処理動作であるので、ここでは説明を省略する。
【００９３】
一方、上記ステップＳ２９にて容量表示モードが選択されない場合は、ステップＳ３２に移行して、上記ステップＳ２１と同様に、サブルーチン「ライブビュー表示」が実行される。このステップＳ３２のサブルーチン「ライブビュー表示」の詳細は、上述したステップＳ２１と同じ処理動作であるので、ここでは説明を省略する。
【００９４】
上記ステップＳ３１若しくはＳ３２の処理がなされたならば、ステップＳ３３に移行して、第１レリーズスイッチの状態が判定される。ここで、第１レリーズスイッチがオフならば上記ステップＳ２へ移行して以降の処理が繰り返される。一方、第１レリーズスイッチがオンならば、続くステップＳ３４に於いて、第２レリーズスイッチの状態が判定される。その結果、第２レリーズスイッチがオンされていなければ上記ステップＳ１６へ移行し、オンされていれば後述するステップＳ３５へ移行する。
【００９５】
ステップＳ３５では、露出・撮像処理の動作が行われる。次いで、ステップＳ３６では表示用撮像素子６１から撮像データが読み込まれて、更にステップＳ３７にて上記ステップＳ３６で読み込まれた撮像データに対して、所定の画像処理が行われる。そして、ステップＳ３８にて、設定されている圧縮比で画像圧縮、例えばＪＰＥＧ等による画像の圧縮がなされる。次いで、ステップＳ３９にて、圧縮された画像データが記録メディア８５に記録される。その後、上記ステップＳ２へ移行する。
【００９６】
このように、第１の実施形態によれば、ファインダビュー、ライブビューの何れのモードであっても、液晶モニタ２６に撮影する画像の容量を表示することができる。
【００９７】
（第２の実施形態）
次に、本発明の第２の実施形態について説明する。
【００９８】
上述した第１の実施形態では、ライブビューモードの場合に、合焦する前に容量表示が可能であったが、本第２の実施形態では、合焦まではファィル容量の算出処理を行わないようにしている。
【００９９】
以下、図１１及び図１２のフローチャートを参照して、本発明の第２の実施形態に於けるカメラの動作について説明する。
【０１００】
尚、第２の実施形態に於けるカメラの構成及び基本的な動作については、図１乃至図１０に示される第１の実施形態のカメラの構成及び動作と同じであるので、同一の部分には同一の参照番号を付して、その図示及び説明を省略し、異なる部分についてのみ説明する。
【０１０１】
また、図１１及び図１２のフローチャートに於いて、ステップＳ６１〜Ｓ７７、及びステップＳ７９〜Ｓ９６の動作については、上述した図６及び図７のフローチャートのステップＳ１〜Ｓ１７、及びステップＳ２２〜Ｓ３９と同じであるので、それぞれ対応するステップ番号を参照してここでの説明は省略する。
【０１０２】
ステップＳ６６に於いて、現在のモードがライブビューモードである場合は、ステップＳ７８に移行して、サブルーチン「ライブビュー表示」が実行される。このサブルーチン「ライブビュー表示」の動作については、上述した図１０のフローチャートと同じであるので、ここでは説明を省略する。
【０１０３】
ステップＳ７８のサブルーチン「ライブビュー表示」が実行された後、ステップＳ７９に於いて第１レリーズスイッチの状態が判定される。これ以降、ステップＳ７９〜Ｓ９６については、上述した図６及び図７のフローチャートのステップＳ２２〜Ｓ３９と同じである。
【０１０４】
このように、第２の実施形態によれば、第１レリーズスイッチがオンされている間にＪＰＥＧ圧縮処理の負荷が重くて処理に時間を要してＡＦ動作に支障をきたすような場合、合焦まではファィル容量の算出処理を行わないようにしている。このように構成しても、第１の実施形態と同様にファインダビュー、ライブビューの何れのモードであっても、液晶モニタに撮影する画像の容量を表示することができる。
【０１０５】
尚、上述した実施形態では、表示用撮像素子６１及び撮影用撮像素子６７をＣＣＤで構成した例で説明したが、これに限られるものではなく、ＣＭＯＳ等の撮像素子で構成しても良いのは勿論である。
【０１０６】
以上、本発明の実施形態について説明したが、本発明は上述した実施形態以外にも、本発明の要旨を逸脱しない範囲で種々の変形実施が可能である。
【図面の簡単な説明】
【０１０７】
【図１】本発明の第１の実施形態を示すもので、一眼レフレックスタイプのデジタルカメラの構成を示す外観斜視図である。
【図２】本発明の第１の実施形態に於けるカメラのファインダ光学系の構成を示す斜視図である。
【図３】本発明の第１の実施形態に係るカメラのシステム構成を示すブロック図である。
【図４】ファインダ内の表示例を示したもので、（ａ）はフォーカシングスクリーン５６に対応した表示画面１０４の例を示した図、（ｂ）はＦ内ＬＣＤパネル６４の表示例を示した図である。
【図５】液晶モニタ２６に撮影情報のみが表示された際の表示例を示した図である。
【図６】本発明の第１の実施形態に於けるカメラ１の基本的な動作を説明するフローチャートである。
【図７】本発明の第１の実施形態に於けるカメラ１の基本的な動作を説明するフローチャートである。
【図８】図６及び図７のフローチャートのステップＳ１５、Ｓ１９及びＳ３０に於けるサブルーチン「ファイル容量表示」の動作を説明するフローチャートである。
【図９】図８のサブルーチン「ファイル容量表示」のステップＳ４８に対応して、液晶モニタ２６にファイル容量表示を行った例を示した図である。
【図１０】図７のフローチャートに於けるステップＳ２１及びＳ３２に於けるサブルーチン「ライブビュー表示」の動作を説明するフローチャートである。
【図１１】本発明の第２の実施形態に於けるカメラ１の基本的な動作を説明するフローチャートである。
【図１２】本発明の第２の実施形態に於けるカメラ１の基本的な動作を説明するフローチャートである。
【符号の説明】
【０１０８】
１…カメラ、１０…レンズ鏡筒、１１…撮影レンズ、１３…レンズ駆動機構、１４…絞り駆動機構、１５…レンズ制御用マイクロコンピュータ（Ｌμｃｏｍ）、２０…カメラ本体、２１…レリーズ釦、２２…モードダイヤル、２６…液晶モニタ、３３…ファインダ、４０…通信コネクタ、５０…ファインダ光学系、５１…第１反射ミラー、５２…第２反射ミラー、５３…第３反射ミラー、５４…第４反射ミラー、５６…フォーカシングスクリーン、５７…接眼レンズ、６０…結像レンズ、６１…表示用撮像素子、６３…測光センサ、６４…ファインダ（Ｆ）内ＬＣＤパネル、６６…シャッタ、６７…撮影用撮像素子、７１…ＡＦセンサユニット、７２…ＡＦセンサ駆動回路、７３…ミラー駆動機構、７５…シャッタチャージ機構、７６…シャッタ制御回路、８０…ボディ制御用マイクロコンピュータ（Ｂμｃｏｍ）、８１…インターフェイス回路、８２…画像処理コントローラ、８５…記録メディア、８７…測光回路、１００…画面、１２０…容量表示のマーク。
【図１】
2007074395.tif 000004
【図２】
2007074395.tif 000005
【図３】
2007074395.tif 000006
【図４】
2007074395.tif 000007
【図５】
2007074395.tif 000008
【図６】
2007074395.tif 000009
【図７】
2007074395.tif 000010
【図８】
2007074395.tif 000011
【図９】
2007074395.tif 000012
【図１０】
2007074395.tif 000013
【図１１】
2007074395.tif 000014
【図１２】
2007074395.tif 000015